(57)【要約】【課題】かご内の状況を簡易に表示装置に表示することができるエレベータのかご内防犯カメラシステムを提供すること。【解決手段】実施形態のエレベータのかご内防犯カメラシステム１は、ビデオカメラ２と、送信機３と、受信機４と、表示装置５とを有する。ビデオカメラ２は、エレベータのかご１１０内を撮影するとともに、連続して生成された静止画データからなる動画データを格納する記憶部２２を有する。送信機３は、記憶部２２に格納された動画データを構成する静止画データを無線で送信する。受信機４は、送信機３から送信された静止画データを受信する。表示装置５は、受信機４とともに、かご１００の外部あるいは内部の少なくとも一方に設けられ、受信機４に受信された静止画データを表示する。送信機３は、かご１１０のかごドアが閉まった時点、あるいはかご１１０の減速開始時点の少なくとも一方を含む静止画データを受信機４に送信する。【選択図】図２
2015157679.tif 000002
【特許請求の範囲】
【請求項１】
エレベータのかご内を撮影するとともに、撮影されたことで連続して生成された静止画データからなる動画データを格納する記憶部を有するビデオカメラと、
前記記憶部に格納された前記動画データを構成する静止画データを無線で送信する送信機と、
前記送信機から送信された前記静止画データを受信する受信機と、
前記受信機とともに、前記エレベータを利用する人が視認できる前記かごの内部あるいは乗り場の少なくとも一方に設けられ、前記受信機で受信された前記静止画データを表示する表示装置と、
を有し、
前記送信機は、前記かごのかごドアが閉まった時点、あるいは前記かごの減速開始時点の少なくとも一方を含む静止画データを前記受信機に送信する、
ことを特徴とするエレベータのかご内防犯カメラシステム。
【請求項２】
前記ビデオカメラは、前記動画データあるいは前記エレベータの運転状態の少なくとも一方に基づいて、前記かご内の異常を検知する異常検知部を有し、
前記送信機は、前記異常検知部により前記かご内の異常が検出された時点の静止画データを前記受信機に送信する、
請求項１に記載のエレベータのかご内防犯カメラシステム。
【請求項３】
前記記憶部は、前記かごのかごドアが閉まった時点から前記かごの減速開始時点までの動画データを順次格納するものであり、前記動画データを上書きする場合に、前記動画データのうち、前記かご内の異常が検出された時点の静止画データを含まない動画データを優先して上書きする、
請求項２に記載のエレベータのかご内防犯カメラシステム。
【発明の詳細な説明】
【技術分野】
【０００１】
本発明の実施形態は、エレベータのかご内防犯カメラシステムに関する。
【背景技術】
【０００２】
エレベータのかご内や乗り場の状況を監視するために、かご内や乗り場に防犯カメラが設置されているものがある。このような防犯カメラにより撮影され、生成された動画データは、送信機から例えば、外部の受信機に無線で送信され、受信機により受信した動画データをモニタで表示することでオペレータがエレベータの状況を監視する。
【先行技術文献】
【特許文献】
【０００３】
【特許文献１】特許第４２８４１２８号
【特許文献２】特開２００３−６３７４７号公報
【発明の概要】
【発明が解決しようとする課題】
【０００４】
ところで、近年は、防犯カメラの性能が向上しており、動画データのデータ容量が多くなっていることから、無線でデータを送信する場合に問題が発生する。例えば、動画データを短時間で送信したい場合は通信速度の速い送信機・受信機が必要となり、通信速度の遅い送信機・受信機の場合は動画データを送信するまでの時間がかかり、エレベータを利用する人がかご内の状況をすぐに確認するような用途には不向きである。
【０００５】
本発明は、上記に鑑みてなされたものであって、かご内の状況を簡易に表示装置に表示することができるエレベータのかご内防犯カメラシステムを提供することを目的とする。
【課題を解決するための手段】
【０００６】
実施形態のエレベータのかご内防犯カメラシステムは、ビデオカメラと、送信機と、受信機と、表示装置とを有する。ビデオカメラは、エレベータのかご内を撮影するとともに、撮影されたことで連続して生成された静止画データからなる動画データを格納する記憶部を有する。送信機は、記憶部に格納された動画データを構成する静止画データを無線で送信する。受信機は、送信機から送信された静止画データを受信する。表示装置は、受信機とともに、エレベータを利用する人が視認できるかごの内部あるいは乗り場の少なくとも一方に設けられ、受信機に受信された静止画データを表示する。送信機は、かごのかごドアが閉まった時点、あるいはかごの減速開始時点の少なくとも一方を含む静止画データを受信機に送信する。
【図面の簡単な説明】
【０００７】
【図１】図１は、実施形態に係るエレベータの概略構成例を示す図である。
【図２】図２は、実施形態に係るかご内防犯カメラシステムの構成例を示す図である。
【図３】図３は、実施形態に係るかご内防犯カメラシステムの動作フローを示す図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
〔実施形態〕
図１は、実施形態に係るエレベータの概略構成例を示す図である。図２は、実施形態に係るかご内防犯カメラシステムの構成例を示す図である。エレベータ１００は、かご１１０と、ウェイト１２０と、メインロープ１３０と、巻上機１４０とを有し、さらにそらせシーブ１５０と、制御装置１６０と、一対のかご用ガイドレール１７０と、一対のウェイト用ガイドレール１８０とを有して構成されている。なお、本実施形態では、かご１１０、ウェイト１２０、メインロープ１３０、一対のかご用ガイドレール１７０および一対のウェイト用ガイドレール１８０は、昇降路１９０内に配置されている。また、巻上機１４０、そらせシーブ１５０および制御装置１６０は、機械室２００内に配置されている。なお、機械室２００を設けずに、巻上機１４０、制御装置１６０を昇降路１９０内に配置してもよい。
【００１０】
かご１１０は、図１に示すように、乗客が乗降するものである。かご１１０は、一対のかご用ガイドレール１７０の間に配置され、各かご用ガイドレール１７０に対して１以上設けられた案内装置１１１を介してかご用ガイドレール１７０に沿って昇降することで、昇降路１９０内を昇降するものである。なお、かご１１０には、内部の積載量Ｗを検出する荷重センサ１１２が設けられている。荷重センサ１１２は、制御装置１６０と電気的に接続されており、制御装置１６０にかご１１０の積載量Ｗが入力される。また、かご１１０には、かごドア１１３の開閉状態を検出する開閉センサ１１４が設けられている。開閉センサ１１４は、制御装置１６０および後述するビデオカメラ２と電気的に接続されており、制御装置１６０およびビデオカメラ２にかごドアの開閉状態が入力される。
【００１１】
ウェイト１２０は、かご１１０の昇降に連動して昇降路１９０内を昇降するものである。ウェイト１２０は、一対のウェイト用ガイドレール１８０の間に配置され、各ウェイト用ガイドレール１８０に対して１以上設けられた案内装置１２１を介してウェイト用ガイドレール１８０に沿って昇降する。ここで、ウェイト１２０は、かご１１０が所定の積載量Ｗ１（例えば、最大積載量に対して０〜１／２程度）の場合に巻上機１４０を挟んで、かご１１０と釣り合うように重量が設定されている。
【００１２】
メインロープ１３０は、かご１１０とウェイト１２０とを連結する１以上のロープであり、巻上機１４０のメインシーブ１４１およびそらせシーブ１５０に巻き掛けられている。メインロープ１３０は、かご１１０と、ウェイト１２０とをトラクション式に昇降させるものである。メインロープ１３０は、本実施形態では、一方の端部がかご１１０に連結され、他方の端部がウェイト１２０に連結されている。本実施形態では、メインロープ１３０は、一方の端部がかご１１０の鉛直方向上部に固定され、他方の端部がウェイト１２０の鉛直方向上部に固定されている。
【００１３】
巻上機１４０は、回転することでメインシーブ１４１に巻き掛けられたメインロープ１３０を巻上げ、かご１１０とウェイト１２０との昇降方向における相対位置を変化させることで、かご１１０を昇降路１９０内で昇降させるものである。巻上機１４０は、制御装置１６０と電気的に接続されており、制御装置１６０を介して供給される電力により駆動制御が行われる。
【００１４】
制御装置１６０は、エレベータ１００の運転を制御するものであり、少なくとも巻上機１４０の駆動制御を行うものであり、本実施形態では、図２に示すように、ビデオカメラ２と電気的に接続されており、エレベータ１００の運転状態がビデオカメラ２に入力される。
【００１５】
かご内防犯カメラシステム１は、かご１１０内に設置されたビデオカメラ２により撮影されたかご１１０内の状況をかご１１０内あるいはかご１１０の外部に設けられた表示装置５に表示することで、かご１１０内を監視し、犯罪を未然に抑制するものである。かご内防犯カメラシステム１は、ビデオカメラ２と、送信機３と、受信機４と、表示装置５とを有して構成されている。ここで、ビデオカメラ２および送信機３は、かご１１０に設置されている。
【００１６】
ビデオカメラ２は、エレベータ１００のかご１１０内を撮影するものであり、撮像部２１と、記憶部２２と、異常検知部２３とを有して構成されている。
【００１７】
撮像部２１は、エレベータ１００のかご１１０内を撮影し、かご１１０内の状況を反映した時系列で連続する静止画データを生成し、連続した静止画データからなる動画データを生成するものである。撮像部２１は、ＣＣＤ、ＣＯＭＳ、ＭＯＳなどの撮像素子を有しており、１秒間に複数の静止画（例えば１５ｆｐｓ、３０ｆｐｓ）を撮影して、動画とするものである。
【００１８】
記憶部２２は、撮像部２１に撮影されたことで連続して生成された静止画データからなる動画データを格納するものである。記憶部２２は、本実施形態では、かご１１０のかごドア１１３が閉まった時点からかご１１０の減速開始時点までの動画データを格納する。記憶部２２は、記憶容量の限界まで動画データを順次格納する。なお、かご１１０のかごドア１１３が閉まった時点は、例えば、制御装置１６０から入力される開閉センサ１１４により検出された結果に基づいた信号により判定する。また、かご１１０の減速開始時点は、例えば、制御装置１６０から入力される巻上機１４０に対する減速指示に基づいた信号により判定する。記憶部２２は、記憶容量の限界まで動画データが格納され、さらに動画データを格納する場合に、格納された動画データを上書きする。このとき、記憶部２２は、通常、格納された動画データのうち最も古い動画データを上書きする。さらに、記憶部２２は、本実施形態では、格納された動画データのうち、上書きしようとする動画データが後述するかご１１０内の異常が検出された時点の静止画データ（異常静止画データ）を含む場合は、異常静止画データを含む動画データよりも、新しくかつ異常静止画データを含まない動画データを優先して上書きする。つまり、記憶部２２は、動画データを上書きする場合に、動画データのうち、異常静止画データを含まない動画データを優先して上書きする。従って、記憶部２２には、異常静止画データを含む動画データが残るため、かご１１０内で犯罪が発生した場合などにその後の犯人を特定する際に、格納されている異常静止画データを含む動画データを用いることができる。
【００１９】
異常検知部２３は、動画データに基づいて、かご１１０内の異常を検知するものである。異常検知部２３は、格納された動画データに基づいてかご１１０内の暴れ（かご１１０内でトラブルが発生している、犯罪が行われているなどの可能性があるなど）をかご１１０内の異常として検知するものである。動画データに基づいたかご１１０内異常検知は、例えば、時系列で連続して生成される静止画データから、公知の方法でかご１１０内の乗員（複数乗員した場合は、各乗員）に対応する領域を抽出する。次に、この乗員に対応する領域について、時系列で連続する静止画データにおける位置の変化を判定し、位置の変化が大きい場合に、かご１１０内の暴れがあると判定し、かご１１０内の異常を検知する。通常、かごドア１１３が閉まった時点からかご１１０の減速開始時点までは、かご１１０内で乗員がほとんど移動しないため、この間で乗員の大きな移動がかご１１０内である場合に、かご１１０内の暴れが発生している可能性が高いと考えられるので、かご１１０内の異常を検知する。なお、動画データに音声データが含まれている場合は、音声データに基づいた乗員の声の大きさを判定し、上記乗員に対応する領域の位置の変化が大きいと判定するとともに、乗員の声の大きさが大きいと判定すると、かご１１０内の異常を検知するようにしてもよい。
【００２０】
また、異常検知部２３は、エレベータ１００の運転状態に基づいて、かご１１０内の異常を検知する。異常検知部２３は、制御装置１６０から入力されるエレベータ１００の運転状態、本実施形態では、かごドア１１３を開くことができない位置で、かご１１０が停止している状態、すなわち閉じこめ状態と判定できる信号に基づいて、かご１１０内の異常として検知するものである。異常検知部２３は、本実施形態では、動画データに基づいたかご１１０内の異常判定と、エレベータ１００の運転状態に基づいた異常判定との両方を行うが、いずれか一方であってもよい。なお、異常検知部２３によかりご１１０内の異常が検知された場合、異常静止画データが含まれる動画データは、異常静止画データが含まれない動画データと区別するために、例えば、異常静止画データの有無に対するフラグ（異常静止画データの有りの場合フラグ＝１、無しの場合フラグ＝０）データが付加される。
【００２１】
送信機３は、記憶部２２に格納された動画データを構成する静止画データを無線で送信するものである。送信機３は、本実施形態では、受信機４（かご受信機４１、乗り場受信機４２）に、かご１１０のかごドア１１３が閉まった時点からかご１１０の減速開始時点までのかご１１０内の状況に対応する動画データから選択された静止画データを送信する。送信機３は、本実施形態では、かご１１０のかごドア１１３が閉まった時点、かご１１０の減速開始時点およびかご１１０内の異常を検知した時点における静止画データを受信機４に送信する。なお、送信機３が受信機４に送信する静止画データは、上記時点における１つに限定されるものではなく、上記時点から所定時間（例えば、１〜５秒程度）内で、かつ所定間隔（動画データとして静止画データが連続する間隔よりも広い間隔）となる複数の静止画データを送信してもよい。なお、送信機３は、ビデオカメラ２が送信機３としての機能を有する場合は、ビデオカメラ２と一体であってもよい。
【００２２】
受信機４は、送信機３から送信された静止画データを受信するものである。受信機４は、本実施形態では、かご１１０内に設置されたかご受信機４１およびかご１１０の外部の乗り場３００に設置された乗り場受信機４２である。かご受信機４１は、表示装置５のうちかご操作盤５１と電気的に接続されている。乗り場受信機４２は、表示装置５のうち乗り場操作盤５２と電気的に接続されている。なお、受信機４は、表示装置５が受信機４としての機能を有する場合は、表示装置５と一体であってもよい。ここで、送信機３、受信機４は、無線通信のうち、近距離無線通信を行うものである。近距離無線通信としては、無線ＬＡＮや、規格が統一されている通信方法などの数ｍから数十ｍの範囲で、データの送受信が可能なものをいう。
【００２３】
表示装置５は、受信機４で受信された静止画データを表示するものである。表示装置５は、本実施形態では、かご１１０内に設置されたかご操作盤５１およびかご１１０の外部の乗り場３００に設置された乗り場操作盤５２である。かご操作盤５１は、かご１１０内の乗員が行き先階を登録する行き先階登録釦や、開閉釦などが設けられ、これらの釦よりも上部に乗員が視認可能な表示部（表示パネル）５１ａを有している。表示部５１ａは、エレベータ１００の運転状態、例えば、かご１１０の現在位置や、停電時における表示などが表示され、本実施形態では、かご受信機４１が受信した静止画データが表示される。乗り場操作盤５２は、乗り場３００にいるかご１１０を待っている待機者がかご１１０の呼びを登録する呼び登録釦などが設けられ、この釦よりも上部に待機者が視認可能な表示部（表示パネル）５２ａを有している。表示部５２ａは、エレベータ１００の運転状態、例えば、かご１１０の現在位置や、停電時における表示などが表示され、本実施形態では、乗り場受信機４２が受信した静止画データが表示される。つまり、ビデオカメラにより撮影され生成された動画データのうち、上記時点における静止画データは、かご１１０内およびかご１１０の外部に表示され、かご１１０内の乗員あるいはかご１１０の外部の待機者が視認できる状況となる。なお、表示部５１ａ，５２ａは、液晶ディスプレイ、有機ＥＬディスプレイなどである。
【００２４】
次に、本実施形態に係るかご内防犯カメラシステム１の動作について説明する。図３は、実施形態に係るかご内防犯カメラシステムの動作フローを示す図である。本実施形態では、かご１１０に乗員が乗り込み、乗り込んだ乗り場３００から他の乗り場３００にエレベータ１００により移動する場合について説明する。まず、同図に示すように、ビデオカメラ２は、かごドア１１３が閉となったか否かを判定する（ステップＳＴ１）。ここでは、開閉センサ１１４によりかごドア１１３が開状態から閉状態となったか否かを判定する。
【００２５】
次に、ビデオカメラ２は、かごドア１１３が閉となったと判定する（ステップＳＴ１：Ｙｅｓ）と、撮影を開始する（ステップＳＴ２）。ここでは、ビデオカメラ２は、乗員がかご１１０に乗り込んでからかご１１０内の状況の撮影を開始する。また、撮影開始と同時に、記憶部２２に動画データの格納を開始する。なお、ビデオカメラ２は、かごドア１１３が開であると判定する（ステップＳＴ１：Ｎｏ）と、ステップＳＴ１を繰り返す。
【００２６】
次に、送信機３は、かご１１０のかごドアが閉まった時点の静止画データを送信する（ステップＳＴ３）。ここでは、送信機３は、記憶部２２に格納が開始された動画データのうち、かご１１０のかごドアが閉まった時点、すなわち撮影開始直後に対応する静止画データを受信機４へ送信する。
【００２７】
次に、表示装置５は、受信機４により受信されたかご１１０のかごドア１１３が閉まった時点の静止画データを表示する（ステップＳＴ４）。ここでは、かご操作盤５１は、送信機３から送信され、かご受信機４１が受信したかご１１０のかごドア１１３が閉まった時点の静止画データを表示部５１ａに表示する。また、乗り場操作盤５２は、送信機３から送信され、乗り場受信機４２が受信したかご１１０のかごドア１１３が閉まった時点の静止画データを表示部５２ａに表示する。
【００２８】
次に、異常検知部２３は、かご１１０内の異常を検知したか否かを判定する（ステップＳＴ５）。ここでは、異常検知部２３は、動画データに基づいてかご１１０内の暴れがあるか否かと、制御装置１６０から入力されるエレベータ１００の運転状態に基づいて閉じこめ状態であるか否かを判定する。
【００２９】
次に、ビデオカメラ２は、異常検知部２３によりかご１１０内の異常を検知していないと判定される（ステップＳＴ５：Ｎｏ）と、かご１１０の減速が開始されたか否かを判定する（ステップＳＴ６）。ここでは、ビデオカメラ２は、乗員が乗り込んだ状態で昇降路１９０内を昇降しているかご１１０の昇降速度が、目的階に着床するために、減速され始めたか否かを判定する。
【００３０】
次に、ビデオカメラ２は、かご１１０の減速が開始されたと判定する（ステップＳＴ６：Ｙｅｓ）と、撮影を終了する（ステップＳＴ７）。ここでは、ビデオカメラ２は、乗員が乗り込んだ状態を維持したまま、目的階でかごドア１１３が開となる前にかご１１０内の状況の撮影を終了する。また、撮影終了により、記憶部２２における動画データの格納が完了する。なお、ビデオカメラ２は、かご１１０の減速が開始されていないと判定する（ステップＳＴ６：Ｎｏ）と、ステップＳＴ５〜ステップＳＴ６を繰り返す。つまり、ビデオカメラ２は、かご１１０の減速が開始されるまで、撮影を継続し、動画データを記憶部２２に格納し続ける。
【００３１】
次に、送信機３は、かご１１０の減速が開始された時点の静止画データを送信する（ステップＳＴ８）。ここでは、送信機３は、記憶部２２に格納が完了された動画データのうち、かご１１０の減速が開始された時点、すなわち撮影終了直前に対応する静止画データを受信機４へ送信する。
【００３２】
次に、表示装置５は、受信機４により受信されたかご１１０の減速が開始された時点の静止画データを表示する（ステップＳＴ９）。ここでは、かご操作盤５１および乗り場操作盤５２は、送信機３から送信され、かご受信機４１、乗り場受信機４２が受信したかご１１０の減速が開始された時点の静止画データを表示部５１ａ，５２ａに表示する。
【００３３】
エレベータ１００を利用する人が、かご操作盤５１の表示部５１ａあるいは乗り場操作盤５２の表示部５２ａを視認することで、かご１１０のかごドア１１３が閉まった時点およびかご１１０の減速が開始された時点におけるかご１１０内の状況、例えば、乗員の人数、性別、服装、特徴などを認識することができる。従って、例えば、かご１１０内で全体を見渡せなくても、かご操作盤５１の表示部５１ａを視認できれば、かご１１０内の状況を把握することができる。また、かご操作盤５１の表示部５１ａにかご１１０内の状況が表示されれば、かご１１０内が監視されていることを認識できるので、トラブルや犯罪を抑止することができる。また、エレベータ１００を利用する人（かご１１０の外部にいる人）が乗り場操作盤５２の表示部５２ａを視認すれば、外部においてかご１１０内の状況を把握することができる。また、乗り場操作盤５２の表示部５２ａにかご１１０内の状況が表示されれば、これからかご１１０に乗り込む乗員にかご１１０内が監視されていることを認識させることができるので、トラブルや犯罪を抑止することができる。
【００３４】
また、送信機３は、異常検知部２３によりかご１１０内の異常を検知したと判定される（ステップＳＴ５：Ｙｅｓ）と、かご１１０内の異常を検知した時点の静止画データを送信する（ステップＳＴ１０）。ここでは、送信機３は、異常検知部２３により、かご１１０内の暴れがあると、あるいは、閉じこめ状態であるとの少なくともいずれか一方と判定すると、記憶部２２に格納が完了された動画データのうち、かご１１０内の異常を検知した時点、すなわちトラブル、犯罪、閉じこめが発生した可能性が高い状況に対応する静止画データ、すなわち異常静止画データを受信機４へ送信する。
【００３５】
次に、表示装置５は、受信機４により受信されたかご１１０内の異常を検知した時点の静止画データを表示（ステップＳＴ１１）し、かご１１０の減速が開始されたか否かを判定する（ステップＳＴ６）。ここでは、かご操作盤５１および乗り場操作盤５２は、送信機３から送信され、かご受信機４１、乗り場受信機４２が受信した異常静止画データを表示部５１ａ，５２ａに表示する。
【００３６】
エレベータ１００を利用する人が、かご操作盤５１の表示部５１ａあるいは乗り場操作盤５２の表示部５２ａを視認することで、かご１１０内の異常が検知された時点におけるかご１１０内の状況、例えば、乗員の人数、性別、服装、特徴のみならず、トラブルの内容、犯罪の内容などを認識することができる。従って、例えば、かご１１０内で全体を見渡せなくても、かご操作盤５１の表示部５１ａを視認できれば、トラブルや犯罪が発生したことを把握することができる。また、かご１１０の外部にいる人が乗り場操作盤５２の表示部５２ａを視認すれば、外部においてかご１１０内のトラブルや犯罪が発生したことを把握することができる。従って、かご１１０が目的階に着床後、かごドア１１３が開くまでに、外部に異常事態を報知したり、かごドア１１３が開いた際の対応について検討したりすることができる。
【００３７】
以上のように、本実施形態に係るエレベータ１００のかご内防犯カメラシステム１では、かご１１０内の状況をビデオカメラ２で撮影し、動画データを記憶部２２に格納しつつ、動画データのうち、かご１１０のかごドア１１３が閉まった時点、かご１１０の減速が開始された時点、あるいはかご１１０内の異常が検知された時点における静止画データを送信機３により送信し、受信機４により受信された静止画データがエレベータ１００を利用する人が視認することができる表示装置５により表示されるので、動画データを随時表示装置５により表示させる場合と比較して、送受信時のデータ量が小さく、送信機３および受信機４に要求される通信速度を低くすることができる。従って、大規模な通信設備が不要で、安価にかご内防犯カメラシステム１を構築することができる。
【００３８】
なお、本実施形態において、ビデオカメラ２の記憶部２２は、取り外し可能な記録媒体であることが好ましい。記憶部２２が取り外し可能であれば、異常静止画データを含む動画データを容易に外部に持ち出すことができる。また、送信機３は、記憶部２２に格納された動画データを選択して送信できることが好ましい。この場合は、動画データを受信するまでに、時間を要するが、受信機および記憶部を有する持ち運び可能な携帯端末などで、外部に持ち出すことができる。また、送信機３は、大規模公衆通信網と通信可能であってもよい。この場合は、静止画データを遠隔の設備、例えば、エレベータ１００の監視センターなどに送信することができる。
【００３９】
また、本実施形態において、異常検知部２３は、記憶部２２に格納されている動画データのうち、異常静止画データを含む動画データを用いて、かご１１０内の異常を学習してもよい。例えば、記憶部２２に格納されたかご１１０内の異常を検知した際の動画データにおける乗員に対応する領域の位置の変化の共通点を抽出し、撮影が開始されている動画データにおける乗員に対応する領域の位置の変化がこの共通点を含んでいるか否かで、かご１１０内の異常を検知するようにしてもよい。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１  かご内防犯カメラシステム
２  ビデオカメラ
２２  記憶部
２３  異常検知部
３  送信機
４  受信機
４１  かご受信機
４２  乗り場受信機
５  表示装置
５１  かご操作盤
５２  乗り場操作盤
１００  エレベータ
１１０  かご
【図１】
2015157679.tif 000003
【図２】
2015157679.tif 000004
【図３】
2015157679.tif 000005
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
エレベータのかご内を撮影するとともに、撮影されたことで連続して生成された静止画データからなる動画データを格納する記憶部と、前記動画データに基づいて前記かご内の異常を検知する異常検知部とを有するビデオカメラと、
前記記憶部に格納された前記動画データを構成する静止画データを無線で送信する送信機と、
前記送信機から送信された前記静止画データを受信する受信機と、
前記受信機とともに、前記エレベータを利用する人が視認できる前記かごの内部あるいは乗り場の少なくとも一方に設けられ、前記受信機で受信された前記静止画データを表示する表示装置と、
を有し、
前記送信機は、前記かごのかごドアが閉まった時点、あるいは前記かごの減速開始時点の少なくとも一方を含む静止画データを前記受信機に送信し、前記異常検知部により前記かご内の異常が検出された場合、前記かご内の異常が検出された時点の静止画データを前記受信機に送信する、
ことを特徴とするエレベータのかご内防犯カメラシステム。
【請求項２】
前記記憶部は、前記かごのかごドアが閉まった時点から前記かごの減速開始時点までの動画データを順次格納するものであり、前記動画データを上書きする場合に、前記動画データのうち、前記かご内の異常が検出された時点の静止画データを含まない動画データを優先して上書きする、
請求項１に記載のエレベータのかご内防犯カメラシステム。
【手続補正２】
【補正対象書類名】明細書
【補正対象項目名】０００６
【補正方法】変更
【補正の内容】
【０００６】
実施形態のエレベータのかご内防犯カメラシステムは、ビデオカメラと、送信機と、受信機と、表示装置とを有する。ビデオカメラは、エレベータのかご内を撮影するとともに、撮影されたことで連続して生成された静止画データからなる動画データを格納する記憶部と、動画データに基づいてかご内の異常を検知する異常検知部とを有する。送信機は、記憶部に格納された動画データを構成する静止画データを無線で送信する。受信機は、送信機から送信された静止画データを受信する。表示装置は、受信機とともに、エレベータを利用する人が視認できるかごの内部あるいは乗り場の少なくとも一方に設けられ、受信機に受信された静止画データを表示する。送信機は、かごのかごドアが閉まった時点、あるいはかごの減速開始時点の少なくとも一方を含む静止画データを受信機に送信し、異常検知部によりかご内の異常が検出された場合、かご内の異常が検出された時点の静止画データを受信機に送信する。